(57)【要約】【課題】無線通信システムにおける再伝送のための方法および装置【解決手段】セグメント化されたメッセージ伝送のための方法。ここで、各メッセージは最初にセグメントに分割され、そしてセグメントはフラグメント化される。各セグメントに対してセグメントパラメータが、そして各フラグメントに対してセグメント識別子が適用される。フラグメントは伝送のためにフレームへの準備のためにより低いレベルに与えられる。一つの実施例は、制御メッセージ等の短期間メッセージの伝送に適用される。セグメント内のフレームの受信と同時に、終了期間を有するタイマーが起動される。セグメント内の次のフレームの受信はタイマーを停止する。タイマーに対する終了期間の終了は、次の引き続き起こるフレームが失われたことを示している。
2005526417.tif 000002
【特許請求の範囲】
【請求項１】
基地局制御器および複数の基地局を有する無線通信システムにおいて、なお複数の基地局の各々は複数の移動局との通信に適応しており、
複数の伝送フレーム中の第１のフレームを受信し、なお複数の伝送フレームの各々は識別子を有しており、
第１のタイマーを起動し、そして
第１のタイマーの終了と同時に第２のフレームに関する識別を決定する
ことを含む方法。
【請求項２】
さらに、第１のタイマーの終了に先立って第２のフレームを受信し、そして
第１のタイマーを終結する
ことを含む、請求項１記載の方法。
【請求項３】
ここで、第１のタイマーは第１の終了期間を有し、そして第２のタイマーは第２の終了期間を有している、請求項２記載の方法。
【請求項４】
ここで、第１の終了期間は、送信されたフレーム間の平均到着時刻間隔期間によって決定される、請求項３記載の方法。
【請求項５】
ここで、第１の終了期間は
第１の終了期間＝α＊ＡＩＴ
として与えられ、ここでαは一定値であり、そしてＡＩＴはフレームの平均到着時刻間隔である、請求項４記載の方法。
【請求項６】
ここで、第２の終了期間は、第１の終了期間の関数として与えられる、請求項５記載の方法。
【請求項７】
無線装置であって、
複数の伝送フレームを受信するための受信機と、
フレームを検出するための手段と、
第１のフレームの受信と同時に第１のタイマーの起動に応じるタイマー手段と、
ここで、第１のタイマーは組み合わせられた第１の終了期間を有しており、ここでタイマー手段は第２のフレームの検出と同時に第１のタイマーの終結に応じる、
を含む無線装置。
【請求項８】
ここで、第１のタイマーによる第１の終了期間の終了は、第２のフレームが失われたフレームであることを示す、請求項７記載の無線装置。
【請求項９】
ここで、タイマー手段は第２のフレームの受信に対応して第２のタイマーを起動するよう動作する、なお第２のタイマーは第２の終了期間を有している、請求項７記載の無線装置。
【請求項１０】
ここで、第２の終了期間は第１の終了期間の関数である、請求項９記載の無線装置。
【請求項１１】
無線装置であって、
複数の伝送フレーム中の第１のフレームを受信するための、計算機によって読み出し可能な命令の第１の組み合わせと、なお複数の伝送フレームの各々は識別子を有しており、
第１のタイマーを起動するための、計算機によって読み出し可能な命令の第２の組み合わせと、そして
第１のタイマーの終了と同時に第２のフレームの識別を決定するための、計算機によって読み出し可能な命令の第３の組み合わせと、
を保存するためのメモリ保存ユニットを有する無線装置。
【請求項１２】
通信システムにおける情報を受信するための装置であって、
複数の伝送フレーム中の第１のフレームを受信するための手段と、なお複数の伝送フレームの各々は識別子を有しており、
第１のタイマーを起動するための手段と、そして
第１のタイマーの終了と同時に第２のフレームの識別を決定するための手段と、
を含む装置。
【請求項１３】
基地局制御器および複数の基地局を有する無線通信システムにおいて、なお複数の基地局の各々は複数の移動局との通信に適応しており、方法は、
複数の伝送フレームを受信し、なお複数の伝送フレームの各々は識別子を有しており、
複数の伝送フレームの中の第１のフレーム消失を検出し、
第１のタイマーを起動し、そして
第１のタイマーの終了と同時に第１のフレーム消失の識別を決定する、
ことを含む方法。
【請求項１４】
さらに、
第１のタイマーの終了に先立って、第２のフレーム消失を検出し、そして
第２のタイマーを起動し、
第１のタイマーを停止し、そして
第２のタイマーの終了と同時に第２のフレーム消失の識別を決定する、
ことを含む、請求項１３記載の方法。
【請求項１５】
ここで、第１のタイマーは第１の時刻期間を有し、そして第２のタイマーは第２の時刻期間を有する、請求項１４記載の方法。
【請求項１６】
ここで、第１の時刻期間は送信されたフレーム間の平均到着時刻間隔期間によって決定される、請求項１５記載の方法。
【請求項１７】
ここで、第１の時刻期間は、
第１の時刻期間＝α＊ＡＩＴ
として与えられる、ここでαは一定値であり、そしてＡＩＴはフレームの平均到着時刻間隔である、請求項１６記載の方法。
【請求項１８】
ここで、第２の時刻期間は、
第２の時刻期間＝β＊（第１の時刻期間）＋γ＊（第２の時刻期間−第１の時刻期間）
として与えられ、
ここでβおよびγは一定値である、請求項１７記載の方法。
【請求項１９】
無線装置であって、
複数の伝送フレームを受信するための受信機と、
フレーム消失を検出するための手段と、
第１のフレーム消失の検出に応じる第１のタイマー手段と、そして
第２のフレーム消失の検出に応じる第２のタイマー手段と
を含む無線装置。
【請求項２０】
さらに、第１のフレーム消失と組み合わせられた第１のフレームに対応する識別子を決定するための手段を含む、請求項１９記載の無線装置。
【請求項２１】
ここで、識別子を決定するための手段は、第２のフレーム消失と組み合わせられた第２のフレームに対応する識別子を決定することに適応する、請求項２０記載の無線装置。
【請求項２２】
さらに、伝送フレームに対する平均到着時刻間隔を決定するための手段を含む、請求項２１記載の無線装置。
【請求項２３】
無線装置であって、
複数の伝送フレームを受信するための、計算機により読み出し可能な命令の第１の組み合わせと、
フレーム消失を検出するための、計算機により読み出し可能な命令の第２の組み合わせと、
第１のフレーム消失の検出に応じる第１のタイマーのための、計算機により読み出し可能な命令の第３の組み合わせと、
第２のフレーム消失の検出に応じる第２のタイマーのための、計算機により読み出し可能な命令の第４の組み合わせと
を保存するためのメモリ保存ユニットを有する無線装置。
【請求項２４】
さらに、第１のフレーム消失と組み合わせられた第１のフレームに対応する識別子を決定するための、計算機により読み出し可能な命令の第５の組み合わせを含む、請求項２３記載の無線装置。
【請求項２５】
ここで、計算機により読み出し可能な命令の第５の組み合わせは、第２のフレーム消失と組み合わせられた第２のフレームに対応する識別子を決定するために適応されている、請求項２４記載の無線装置。
【請求項２６】
さらに、伝送フレームに対する平均到着時刻間隔を決定するための、計算機により読み出し可能な命令の第６の組み合わせを含む、請求項２５記載の無線装置。
【発明の詳細な説明】
【技術分野】
【０００１】
本発明は、通信システムに関する。とくに本発明は無線通信システムにおいて、メッセージをセグメントし、そして送信するための方法に関する。
【背景技術】
【０００２】
無線通信システムにおいて、メッセージは送信機から移動受信機に対して送信される。メッセージはフレーム内で送信され、ここで、フレームはあらかじめ設定された時刻に関する期間を定義しており、そしてプロトコルは、情報の交換等の与えられた一連の動作を実行するのに用いられる一連の手順である。ここで、プロトコルはフレーム内で送信される要素情報を定義する。無線通信は共有されたエアインタフェースを通じて実行されるので、受信品質は干渉で制限される。受信機における不十分な品質の受信は、送信されたデータのフレームの喪失に帰着するかも知れず、すなわち受信された信号は干渉信号の付加のために認識不可能である。典型的には、フレームが失われた場合は全メッセージ（複数のフレーム）が再送信される。全メッセージの再伝送は、そうでない場合はさらなるメッセージのために使用される帯域を使用する。さらに再伝送はシステムの遅延時間を増し、そして無線通信システムに関する許容不可能な特性を招来するかも知れない。
【０００３】
その結果、無線通信システムにおいては、メッセージを送信することに関する正確な方法に対するニーズが存在する。さらに、無線通信システムにおいては、情報を再送信することに関する効率的な方法に対するニーズが存在する。
【発明の開示】
【課題を解決するための手段】
【０００４】
ここに開示された実施例は、伝送中のセグメントの終端あるいはメッセージの終端を検出するための方法および装置を与えることによって、上に述べられたニーズに対処するものである。フレーム消失の受信と同時に、受信機はタイマー（timer）を起動する。タイマーは、フレームの失われた終端を決定するために使用される。複数のタイマーが使用されるかも知れず、ここで各タイマーは前に動作している任意のタイマーを停止する。
【０００５】
一つの観点によれば、基地局制御器および複数の基地局を有する無線通信システムにおいては、なお複数の基地局の各々は複数の移動局との通信に適応しており、方法は複数の伝送フレームを受信し、なお複数の伝送フレームの各々は識別子を有しており、複数の伝送フレーム内の第１のフレーム消失を検出し、第１のタイマーを起動し、そして第１のタイマーの終了と同時に第１のフレーム消失に関する識別を決定することを含んでいる。
【０００６】
他の観点によれば、無線装置は複数の伝送フレームを受信するための受信機と、フレーム消失を検出するための手段と、第１のフレーム消失の検出に応答する第１のタイマー手段と、そして第２のフレーム消失に応答する第２のタイマー手段とを含んでいる。
【発明を実施するための最良の形態】
【０００７】
用語“典型的な”は、ここでは、“事例、事実、あるいは例証として役立つ”を意味するために限定的に使用される。ここに“典型的な”として記述されたいかなる実施例も、他の実施例に優れて選定された、あるいは有利なものとして解釈される必要はない。
【０００８】
符号分割多元接続ＣＤＭＡ通信システム等のスペクトル拡散システムにおいては、信号は、擬似ランダム雑音ＰＮ拡散系列等の符号を使用して、広い帯域幅上に拡散される。今後“ ＩＳ‐９５標準”として参照される、“デュアルモード広帯域スペクトル拡散セルラシステムのためのＴＩＡ／ＥＩＡ／ＩＳ‐９５移動局／基地局両立性標準”および，今後“ｃｄｍａ２０００標準”として参照される“ｃｄｍａ２０００スペクトル拡散システムのためのＴＩＡ／ＥＩＡ／ＩＳ‐２０００標準”はスペクトル拡散ＣＤＭＡシステムを詳述している。
【０００９】
無線通信システムは、音声、データおよびその他等の通信の種々の形式を与えるために広く展開されている。これらのシステムは、符号分割多元接続（ＣＤＭＡ）、時間分割多元接続（ＴＤＭＡ）、あるいは若干の他の変調技術に基づくことが可能である。ＣＤＭＡシステムは、増加されたシステム容量をも含めて他の形式のシステムよりも優れた確実な利点を与える。
【００１０】
システムは、（１）ここではＩＳ‐９５標準として参照される、“デュアルモード広帯域拡散スペクトルセルラシステムのためのＴＩＡ／ＥＩＡ／ＩＳ‐９５‐Ｂ移動局／基地局両立性標準”、（２）ここでは３ＧＰＰとして参照される、“第３世代パートナーシッププロジェクト”と名付けられたコンソーシアムにより提案され、そしてここではＷ‐ＣＤＭＡ標準として参照される、文書番号３Ｇ  ＴＳ２５．２１１、３Ｇ  ＴＳ２５．２１２、３Ｇ  ＴＳ２５．２１３、および３Ｇ  ＴＳ２５．２１４、３Ｇ  ＴＳ２５．３０２を含む一連の文書に収録された標準、（３）ここでは３ＧＰＰ２として参照される、“第３世代パートナーシッププロジェクト２”と名付けられたコンソーシアムにより提案された標準、およびここではｃｄｍａ２０００標準として参照された、以前はＩＳ‐２０００ＭＣと称されたＴＲ‐４５．５、あるいは（４）若干の他の無線標準、等の一つあるいはそれ以上の標準をサポートするように設計されることが可能である。以上の中に引用された標準（１）、（２）、および（３）は、この結果、参照によってこの中に明確に組み込まれている。
【００１１】
各標準は基地局から移動体への、および逆の伝送のためのデータに関する処理を明確に定義している。たとえば音声情報は、特定のデータレートで符号化され、定義されたフレームフォーマットにフォーマットされ、そして特定の処理体系に従って処理される（たとえば、誤り訂正、および／あるいは符号化されたか、インターリーブされたか等の検出など）ことが可能である。このことの説明として、Ｗ‐ＣＤＭＡ標準は、それによって、音声情報はいくつかの可能なデータレートの一つに基づいて符号化されることが可能であり、そして符号化された音声データは選定されたデータレートによって異なる特定のフォーマットで与えられる、適応マルチレートすなわちＡＭＲ音声コーディング体系を定義している。特定の標準（たとえばｃｄｍａ２０００標準）によって定義された、コーデック、フレームフォーマット、および処理は、他の標準（たとえばＷ‐ＣＤＭＡ標準）に関するそれらとは多分異なるであろう。
【００１２】
複数のトランスポートフォーマットすなわち可変長伝送フレームをサポートすることが可能な、いくつかの通信システムが存在する。一つのこのようなシステムはｃｄｍａ２０００標準によって定義される。ＣＤＭＡ形式のシステムは次の議論を通じて典型として用いられるが、現在の方法および装置は、メッセージをフレーム内で送信する任意のシステムに対して適用可能であり、そしてフレームおよび／あるいはフレームの部分の再伝送をサポートする。さらにここに記述された方法は、下りリンクおよび上りリンクと同様に、順方向リンクおよび逆方向リンクに適用可能である。便宜上この中の記述はＣＤＭＡ方式システムと一致した術語を使用している。Ｗ‐ＣＤＭＡ方式システムへの適用のためには、上りリンク通信は、ユーザ装置ＵＥから、ノードＢすなわち送信機への通信として参照される。
【００１３】
従来のＣＤＭＡ方式スペクトル拡散システムを記述するために用いられた若干の述語は、 Ｗ‐ＣＤＭＡ方式システムに関しても矛盾なく用いられるが、各方式のシステムには特定の定義を有しているいくつかの用語がある。
ＣＤＭＡシステムにおいては、移動体のユーザは移動局として参照される。複数の移動局は無線通信システムにおいて固定された位置を有している基地局を経由して通信する。ＣＤＭＡシステムにおける逆方向リンクＲＬは、移動体のユーザすなわち移動局ＭＳから、基地局ＢＳへの伝送として参照される。順方向リンクＦＬは、ＢＳからＭＳへの伝送として参照される。
【００１４】
Ｗ‐ＣＤＭＡシステムに特有の述語は、移動体のユーザをユーザ装置ＵＥとして参照する。複数のＵＥは、無線通信システム内に固定された位置を有する“ノードＢ”を経由して通信する。ＵＥからノードＢへの伝送は、上りリンクＵＬとして参照される。下りリンクＤＬは、ノードＢからＵＥへの伝送に対して参照する。
【００１５】
図１は、いくつかのユーザをサポートするスペクトル拡散通信システム１００に関する線図である。システム１００は、各セルは対応する基地局１０４によってサービスされている、いくつかのセルに対する通信を与える。種々の遠隔端末１０６はシステム内に分散されている。システム１００は、その中では各遠隔端末１０６はＭＳとして参照される、ＣＤＭＡ無線通信システムを表すかも知れない。同様にシステム１００は、その中では各遠隔端末１０６はＵＥとして参照される、 Ｗ‐ＣＤＭＡ無線通信システムを表すかも知れない。各遠隔端末１０６は遠隔端末がアクティブであるか否かによって、そしてそれがソフトハンドオフにあるか否かによって、任意の特定の瞬間に１個あるいはそれ以上の基地局１０４と、順方向および逆方向リンク上で通信することが可能である。理解の明確のために、ここではシステム１００はｃｄｍａ２０００標準と矛盾しないＣＤＭＡ方式システムである、典型的実施例を考慮する。
【００１６】
図１に示されるように、基地局１０４ａは遠隔端末１０６ａ、１０６ｂ、１０６ｃ、および１０６ｄと通信し、そして基地局１０４ｂは遠隔端末１０６ｄ、１０６ｅ、および１０６ｆと通信する。
システム制御器１０２は基地局１０４と結合し、そして典型的にはさらに、公衆交換電話ネットワークＰＳＴＮ、インターネット、あるいは他の通信ネットワークを含む、しかし限定されない、他のシステムと結合する。システム制御器１０２は、それと結合した基地局に対して調整および制御を与える。システム制御器１０２はさらに、基地局１０４を経由して遠隔端末１０６の中の、そして遠隔端末１０６および他のシステムと結合されたユーザ間の、電話呼のルーチングを制御する。システム制御器１０２はまた、基地局制御器ＢＳＣとして参照される。
【００１７】
図２は、本発明の典型的実施例に関する構成的レイヤリング１１０を示している。物理レイヤ１１２は、チャネル構造、周波数、電力出力、変調形式、および順方向および逆方向リンクに対する符号化規格を示している。媒体アクセス制御（ＭＡＣ：Medium Access Control）レイヤ１１４は、物理レイヤ１１２上への受信および送信に使用される手順を定義している。
【００１８】
図２に示されたレイヤ構造は、音声、パケットデータ、および音声およびパケットデータサービスを同時に与えるように設計されている。物理レイヤ１１２は、コーディング、インターリービング、物理チャネルに対する変調および拡散機能を実行する。ＭＡＣレイヤ１１４およびリンクアクセス制御(ＬＡＣ：Link Access Control)レイヤ１１６はともに、データトランスポートサービスに対するプロトコルサポートおよび制御機構を与えるためのリンクレイヤをともに形成する。リンクレイヤはさらに、より高いレイヤに関するデータトランスポートニーズを物理レイヤ１１２に関する特定の能力、および特性の中にマップする。リンクレイヤはまた、物理レイヤ１１２に関するコーディングおよび変調機能によってとくにサポートされる符号チャネルの中に、論理的およびシグナリングチャネルをマップする。ここに用いられたように、シグナリングは制御情報の伝送として参照されるが、しかし、通信システム内にメッセージとして送信されたデータ情報あるいは他の情報を含むために拡張されるかも知れない。
【００１９】
制御応用および高レイヤプロトコルは、ＬＡＣレイヤ１１６によって与えられるサービスを利用している。ＬＡＣレイヤ１１６は、メッセージの配送を含む論理的リンク結合のセットアップ、維持、および解放のために必須の機能を実行する。ＭＡＣレイヤ１１４は、物理レイヤ１１２によって供給される資源を統御する制御機能を与える。たとえばＭＡＣレイヤ１１４は、情報をエアインタフェース上に通信するための物理符号チャネルを制御する。ＭＡＣレイヤ１１４はさらに、種々のＬＡＣサービスエンティティによって要求されるこれらの資源の使用を調整する。このような調整機能は、競合している移動局間と同様に１個の移動局内のＬＡＣサービスエンティティ間の係争問題を解決する。ＭＡＣレイヤ１１４は、ＬＡＣサービスからのサービスの品質（ＱｏＳ：Quality of Service）レベル要求を配送する。たとえばＭＡＣは、エアインタフェース資源を蓄え、あるいは競合しているＬＡＣサービスエンティティ間の優先度を解決するかも知れない。
【００２０】
ＨＤＲシステムに対しては、ＭＡＣレイヤ１１４はユーザすなわち接続の均衡を保つための計画能力を含む。このような均衡は、典型的には不十分な有効領域をもったチャネルに対しては低いスループットを、したがって余裕のできた資源は良好な接続を備えているチャネルに対して、高いスループットを許容して計画する。次のレイヤ、リンクアクセス制御ＬＡＣレイヤ１１６は、より高いレイヤ応用に対してアクセス手順を与える。代わりのアーキテクチャにおいては、ラジオリンク、ラジオリンクプロトコル（ＲＬＰ：Radio Link Protocol）レイヤ（図示せず）は、ＬＡＣレイヤ１１６の代わりに、あるいはともに並行して、オクテット配向された(octet-aligned)データストリームに対する再伝送および重複した検出を与えることが可能である。パケットサービスの環境においては、ＬＡＣレイヤ１１６はポイントツーポイントプロトコル（ＰＰＰ：Point-to-Point Protocol）パケットを搬送する。高レベルデータリンク制御（ＨＤＬＣ：High Level Data Link Control）レイヤ１２０は、ＰＰＰおよびＭＬ‐ＰＰＰ通信のためのリンクレイヤである。制御情報は、誤りを減少させるためにデータとは劇的に異なる特定のパターンに配置される。ＨＤＬＣレイヤ１２０はＰＰＰ処理に先立ってデータのフレーミングを実行する。ＰＰＰレイヤ１２２はそこで、圧縮、認証、暗号化、およびマルチプロトコルサポートを与える。インターネットプロトコル（ＩＰ：Internet Protocol）レイヤ１２４は、異なったノードに対するインターネット動作アドレシングのトラックを維持し、出発するメッセージ経路を定め、そして到来するメッセージを認識する。
【００２１】
ＩＰレイヤ１２4等のＰＰＰのトップに進んでいるプロトコルは、ユーザトラフィックを搬送する。これらのレイヤの各々は、１個あるいはそれ以上のプロトコルを含むかも知れないことに注意すべきである。プロトコルは、エアインタフェースの他の側の、同等のエンティティに情報を運ぶために、シグナリングメッセージおよび／あるいはヘッダを用いる。たとえば、高データレート（ＨＤＲ：High Data Rate）システムにおいては、プロトコルは省略時シグナリング応用(default signaling application)を用いてメッセージを送出する。
【００２２】
アーキテクチャ１１０は、インターネット等のＩＰネットワークおよび無線移動体ユニットを含むアクセス端末間のデータ接続性を与えるために、アクセスネットワークＡＮに適用可能である。アクセス端末ＡＴはユーザにデータ接続性を与える。ＡＴはラップトップパーソナル計算機等の計算デバイスに接続されるかも知れず、あるいはパーソナルディジタルアシスタント等の自己内蔵形(self-contained)データデバイスであるかも知れない。しばしばＩＰ装置、あるいはウエブ装置として参照されるいろいろな無線応用および、常に増加している数のデバイスが存在する。図２に示されるように、ＬＡＣレイヤ１１６よりも上のレイヤはサービスネットワークレイヤであり、そしてＨＤＬＣレイヤ１２０よりも下のレイヤはラジオネットワークレイヤである。換言すれば、ラジオネットワークレイヤはエアインタフェースプロトコルに影響を与える。典型的な実施例のラジオネットワークレイヤは、“ＨＡＩ規格”として参照される、“ＴＬ８０‐５４４２１‐１  ＨＤＲエアインタフェース規格”を実行する。ＨＡＩ規格は時には、“１ｘＥＶＤＯ”として参照される。ＨＤＲは通常、無線通信システム内にデータを送信する効率的な方法を与える。代わりの実施例は、“ｃｄｍａ２０００標準”として参照される、“ｃｄｍａ２０００スペクトル拡散システムのためのＴＩＡ／ＥＩＡ／ＩＳ‐２０００標準”、今後“ＩＳ‐９５標準”として参照される、“デュアルモー広帯域スペクトル拡散セルラシステムのためのＴＩＡ／ＥＩＡ／ＩＳ‐９５移動局／基地局両立性標準”、あるいは、“１．８５から１．９９ＧＨｚ  ＰＣＳ応用に対する、Ｗ‐ＣＤＭＡ（広帯域符号分割多元接続）エアインタフェース両立性標準のための、ＡＮＳＩ  Ｊ‐ＳＴＤ‐０１標準化案”等の他のユーザーごとの接続システムを実行することが可能である。
【００２３】
音声およびデータ伝送のための多元接続システムの使用は、次の米国特許に開示されている。
“衛星あるいは地上中継器を使用するスペクトル拡散多元接続通信システム”と題された、米国特許４，９０１，３０７。
“ＣＤＭＡセルラ電話システムにおいて波形を発生するためのシステムおよび方法”と題された、米国特許５，１０３，４５９。
【００２４】
“伝送のためにデータをフォーマッティングするための方法および装置”と題された、米国特許５，５０４，７７３。なお各々は、この譲受人に譲渡され、そしてこの中に参照によって明確に組み込まれている。周波数スペクトルは有限の資源であるために、これらのシステムは、最小の干渉をもって多数のユーザをサポートする一方で、スペクトルを共有することによって、この資源の使用を最大とするための方法を与える。これらの方法のデータの高速度伝送への展開は、現在のハードウエアおよびソフトウエアの再使用を可能とする。設計者はすでにこのような標準を熟知しており、そして方法は、これらのシステムを高速度データ伝送に展開するためにこの知識および経験を使用することが可能である。
【００２５】
以上に述べたように、伝送のためにメッセージを準備するときに、典型的には送信機はメッセージを複数のフレーム上に拡散する。与えられた通信リンクと組み合わせられた、フレーム誤り率（ＦＥＲ：Frame Error Rate）は与えられたフレームを失うことの確率として定義される。同様に、与えられた通信リンクと組み合わせられたメッセージ誤り率（ＭＥＲ：Message Error Rate）は、与えられたメッセージを失うことの確率として定義される。ＭＥＲは、式（１）によって与えられるようにＦＥＲと関係している。
【００２６】
ＭＥＲ＝１−（１−ＦＥＲ）ｎ                              （１）
ここでメッセージはｎ個のフレーム上に拡散されている。式（１）は、とくに事象の統計的独立を仮定している。任意の与えられたフレームにおける誤りの確率は、任意の他のフレームにおける誤りの確率に等しい。固定されたＦＥＲ値に対しては、ＭＥＲはメッセージ長の増加に伴って増加する。もしも１個のフレームが失われた場合は、全メッセージが失われる。フレームは無線通信システムにおいては、基本的なタイミング間隔であることに注意すべきである。異なった伝送チャネルに対するフレームを定義している時間長さは異なるかも知れない。
【００２７】
メッセージを失う危険性、すなわちＭＥＲはメッセージの長さに伴って増加する。メッセージの長さが増加すると、メッセージの伝送のために必要とされるフレームの数が増加する。１個のフレームの喪失は全メッセージの喪失を招くであろうから、メッセージを失う危険性はメッセージ当たりのフレームの数によって影響される。さらに、一定した長さのメッセージに対して、ＦＥＲの増加は式（１）に与えられるようにＭＥＲに直接に強く影響する。
【００２８】
図３Ａおよび３Ｂは、ＬＡＣレイヤ１１４内で実行される伝送プロトコルを示し、ここで各メッセージ２００は、ヘッダ２０２、複数のフィールド２０４から２０６、情報２０８、およびテール２１０を含んでいる複数のフィールドを含む。ヘッダ２０２は、メッセージの長さ、メッセージ識別子、プロトコルバージョン弁別器等を含む、しかし限定されない、メッセージの伝送および受信のための制御情報を含む。フィールド２０４から２０６は、アドレシングフィールド、暗号化フィールド、認証フィールド、およびメッセージ再伝送（ＡＲＱ）を与えるために用いられるフィールドを含む、しかし限定されない、任意の数のフィールドを含む。一つの実施例においては、情報フィールド２０８は、送信機から受信機への制御メッセージ等のシグナリング情報を与える。テールフレーム２１０は、メッセージの正しさを保証するための符号冗長検査すなわちＣＲＣを含むメッセージに対する終端情報を含む。
【００２９】
メッセージ２００は、１、２、…、Ｘとして名付けられたいくつかのフラグメントの中で送信される。各フラグメント２２０は、メッセージ開始（ＳＯＭ：Start Of Message）インジケータ２２２、および情報部分２２４を含む。一つの実施例においては、ＳＯＭは、メッセージ内の第１のフラグメントであることを示すために１であり、そしてメッセージ内の連続するフラグメントであることを示すために０である。メッセージ２００に関するＭＥＲは式（１）で与えられる。フラグメントはそこで、フラグメントを伝送のためにフレームに整列させるＭＡＣレイヤ１１４に与えられる。ＭＡＣレイヤ１１４は、フラグメントに情報を付加することが可能であり、そして伝送のためにフラグメントを再配列することが可能である。各フラグメント２２０は伝送フレームに対応することが可能である。受信機におけるメッセージの受信と同時に、もしも何れかのフラグメントが失われる場合は、全メッセージが再送信される。失われたフラグメントは典型的には、受信機は信号エネルギーを受信したものの、しかし情報を処理しそして／あるいは復号することが不可能である、消失として参照される。もしもメッセージの部分が失われる場合、もしも受信機が失われた部分なしにはメッセージを処理することが不可能な場合は、全メッセージは失われたと見なされることが可能である。失われた部分は消失、あるいは紛失した部分として参照されることが可能である。
【００３０】
一つのシステムにおいては、受信機がメッセージを受信し、そしてメッセージを復号し処理することが可能である場合、受信機は、受信通知（ＡＣＫ：Acknowledgement）メッセージの伝送によってメッセージの受信を通知する。もしもメッセージが失われる場合は、受信機は送信機に応答しない。送信機は目標受信者からのＡＣＫメッセージの受信を待つ。もしも送信機において、あらかじめ設定された待ち時間内にＡＣＫメッセージが受信されない場合は、送信機はメッセージを再送信する。送信機はメッセージの失われた部分に関してはほとんど、あるいは全く情報を有しない。
【００３１】
メッセージに関する一部のみの、あるいはフラグメントの喪失における、および待ち時間の終了に際してのメッセージの再伝送は、受信機に対しては遅延時間を招きそして送信機の伝送帯域幅を消費する。失われた部分あるいはフラグメントの再伝送を与えるために、本発明の典型的実施例は、図４Ａおよび４Ｂに示された、メッセージ２００を複数のセグメント３０２に分離する、メッセージセグメンテーションの方法を与える。セグメント３０２の各々は、独自の識別子を割り当てられる。メッセージの最初のセグメントは、開始セグメント（ＳＳ：Start Segment）インジケータによってさらに識別される。メッセージの最後のセグメントは、終端セグメント（ＥＳ：End Segment）インジケータによって識別される。セグメンテーション処理は、与えられたメッセージを複数の部分にセグメントすることとして定義される。複数のセグメント３０２は可変長を有することが可能である。セグメント３０２の各々の長さの決定は、チャネル品質推定、あるいは他の与えられた通信システムに固有の基準に基づくことが可能である。セグメントの長さの決定は、効率および特性を釣り合わせる。より短いセグメント長は同じメッセージに対してより大きいセグメント総数を招来する。より短いセグメント長は、信頼性の増加、そしてしたがって高められた特性を与える。大きいセグメント総数は、効率を減少する処理および保存オーバーヘッド、たとえば複数のセグメントを識別するためのより多いセグメントパラメータビット伝送の発生を招来する。理想的にはシステムは低いオーバーヘッドを維持しながら特性を最適化するであろう。
【００３２】
図４Ａに示したように、メッセージ２００は、Ｋ個のセグメントにセグメントされる。Ｋ個のセグメントの各々は、そこでさらにＸ個のフラグメントに分割される。典型的な実施例によれば、フラグメントの数Ｘはセグメント３０２の各々に対して変動可能である。代わりの実施例は、与えられたメッセージ内のセグメント当たりのフラグメントに関して一定数Ｘを定義するかも知れない。フラグメントの数Ｘと同様にフラグメント３０４の各々の長さの決定は、物理レイヤ１１２、およびＭＡＣレイヤ１１４に関するパラメータによって決定される。図４Ａに示されるようにセグメント３０２の内のセグメント３は、Ｘ個のフラグメント３０４に分割される。フラグメント３０４はそこで、複数の伝送フレーム（図示せず）を経由して伝送のためにＭＡＣレイヤ１１４に与えられる。
【００３３】
以上に論じたように、Ｋ個のセグメント３０２の各々はＸ個のフラグメントにセグメントされ、ここで、フラグメントの総数ｎは
ｎ＝Ｋ＊Ｘ                                                        （２）
として与えられる。典型的な実施例においては、フラグメントの総数は物理レイヤ１１２上への伝送のためにＭＡＣレイヤ１１４によって発生されたフレームの総数に等しい。一方代わりの実施例は、フレームの総数の関数としてフラグメントの総数を与えるかも知れない。結果となるメッセージ誤りは、セグメント誤り率（ＳＥＲ：Segment Error Rate）の関数として、
ＭＥＲ＝１−（１−ＳＥＲ）Ｋ                                  （３）
として定義される。ここでＳＥＲは、
ＳＥＲ＝１−（１−ＦＥＲ）Ｘ                                    （４）
として定義される。
【００３４】
図４Ｂに示したように、各フラグメント３０６はセグメント識別子ＳＩ  ３０８、および情報３１０を含む。情報３１０は、セグメント３０４からのセグメントの内容の一部である。典型的実施例によれば、ＳＩは少なくとも２個のビット、ＳＩ１およびＳＩ２を含む。これらビットの一つは、セグメンテーションが可能か否かを示し、そして２個のビットの他方はメッセージの最初のセグメントを識別する。
【００３５】
図５Ａに示したメッセージ伝送に関する一つの実施例においては、メッセージ２００は、ＭＳＧ１からＭＳＧＸと名付けられたフラグメント３０４として識別される、Ｘ個のフラグメントに分割される。示されたように、いくつかのセグメント境界はいくつかのフィールド境界と一致するかも知れないが、フラグメント３０４間の境界はメッセージ２００のフィールド間の境界と同一である必要はない。フラグメント３０４は、メッセージ２００に含まれる任意の他のフィールドと同様に、フィールド２０２、２０４、２０６、２０８および２１０の各々に含まれる情報を含む、メッセージ２００に含まれている情報の部分である。
【００３６】
（フラグメント３０４の）Ｘ個のフラグメントの各々は、セグメントメッセージ当たり総数Ｘ個のフレームに対する、フレーム３６０の伝送フレームに対応する。各フレームは、サービスデータユニット（ＳＤＵ：Service Data Unite）を含むとして参照される。フラグメント３０４の各々は、メッセージ２００の一部分にプレフィックスとして付加された値、セグメント識別子（ＳＩ：Segment Identifier）を含む。フラグメント識別子は連続的に決定される。代わりの実施例は、フレームおよびセグメントに識別子を割り当てることに関する他の方法を実行するかも知れない。識別は、メッセージを受信機において再構成するために用いられる。同様に、代わりの実施例は、ＳＩをセグメント情報の終端に付加するかも知れず、あるいはＳＩ情報をセグメント情報と統合するかも知れない。これらの実施例の各々において、フレームの組織が受信機において既知である場合は、受信機はそこでそれに応じてメッセージを再構成することが可能である。
【００３７】
図５Ａに示されるように、Ｘ個のフラグメント３０４はフラグメント３２０、３３０、３４０、および３５０を含み、ここで各フラグメント３２０、３３０、３４０、および３５０はメッセージ２００の部分およびＳＩを含む。図５Ａの実施例においては、図４Ａのプロトコルによって定義されたようにシステムはメッセージセグメンテーションをサポートするが、しかしながらこの例に対しては、伝送メッセージセグメンテーションはインアクティブ（inactive）である。アクティブセグメンテーションに対してはセグメント再伝送要求がサポートされる。換言すれば、受信機は送信されたメッセージに関するセグメントあるいは部分の再伝送を要求することが可能である。インアクティブなセグメンテーションに対しては、セグメント再伝送要求はサポートされない。受信機は、それらのより小さい単位ではなく、全てのメッセージの再伝送を要求することができる。
【００３８】
図５Ａの実施例においては各ＳＩは３ビットを含む。ＳＩビットの意味は図５Ｂおよび５Ｃに示されている。図５Ｂに示されるように、ＳＩ１と名付けられたＳＩの第１のビットは、セグメンテーションがアクティブかインアクティブかを示し、ここで高い論理値はセグメンテーションがアクティブであることを、そうでなければセグメンテーションがインアクティブであることを示す。ＳＩ２と名付けられたＳＩの第２のビットは、セグメントの開始部を識別し、ここで高い論理値はセグメントの開始部を示す。ＳＩ３と名付けられたＳＩの第３のビットはセグメントの終端を示し、ここで高い論理値はセグメントの終端を示す。種々のビット組み合わせの意味は、図５Ｃの表に与えられる。代わりの実施例は、各々があらかじめ設定された意味を有する任意の数のビットを使用するかも知れない。さらに、代わりの実施例は、ＳＩビットに対する交互の極性の体系(alternate polarity scheme)を実行するかも知れない。
【００３９】
図５Ａにおいて続けて、第１のフラグメント３２０（フラグメント３０４のうち）は、メッセージ部分ＭＳＧ１  ３２４に付加されたセグメント識別子部分ＳＩ  ３２２、を含む。フレーム３２０は、メッセージ２００の伝送における第１のフラグメントであり、そしてその結果、ＳＩ  ３２２は、０１０として指定される。ここで、ＳＩ１＝０、ＳＩ２＝１、そしてＳＩ３＝０である。この例に対しては、セグメンテーションはインアクティブであるので、第２のビットＳＩ２はメッセージの開始部を識別するために用いられるかも知れず、そして第３のビットＳＩ３はメッセージの終端を識別するために用いられるかも知れない。次のフラグメント３３０は、ＳＩ部分３３２および、情報部分３３４を含む。ＳＩ  ３３２は、中間の伝送フラグメントを示している。最後のフラグメント３５０は、ＳＩ部分３５２および情報部分３５４を含む。ＳＩ  ３５２は、セグメントあるいはメッセージの終端を示す。
【００４０】
フラグメント３０４の各々はＭＡＣレイヤ１１４によって発生されたＳＤＵ  ３６０に対応する。とくに、示されたように、フラグメント３２０はＳＤＵ  ３６２に対応し、フラグメント３３０はＳＤＵ  ３６４に対応し、フラグメント３４０はＳＤＵ  ３６６に対応し、そしてフラグメント３５０はＳＤＵ  ３６８に対応する。ＳＤＵ  ３６０は、物理レイヤ１１２上に送出された伝送フレームに対応する。
【００４１】
図５Ａにおいて続けて、ＳＩ  ３２２はこの伝送に対してインアクティブであるセグメンテーションを示す。たとえセグメンテーションがインアクティブであるとしても、メッセージ２００はＳＤＵ  ３６０となるフラグメント  ３０４を形成するために分割される。ＳＤＵ  ３６０は変調されそして送信される。一つの実施例においては、誤りチェッキングメカニズムはまたＳＤＵ  ３６０に適用される。フレームが受信機において受信されるときに、誤りチェッキングはフレーム誤りを見出すために数値を求める。フレーム誤りを検出した場合、受信機はセグメンテーションがインアクティブであるために、再伝送のために特定のセグメントを要求することができない。代わりに、受信機は全メッセージ２００の再伝送を要求するであろう。以下に論じられるように、そしてとくに図８および９に関連して、セグメンテーションがアクティブな場合は、受信機はフレーム誤りが検出されたセグメントを要求するための十分な情報を与えられる。このようにして帯域幅は保存され、そして処理時間は減少される。
【００４２】
図５Ｄおよび５Ｅは代わりの実施例を示し、ここでＳＩは２ビットを含む。第１のビット、ＳＩ１は、セグメンテーションがアクティブか否かを示す。第２のビットＳＩ２は、セグメントの開始部を識別する。この２ビットの組み合わせの意味は、図５Ｅの表に与えられる。
【００４３】
図６は、一つの実施例に従った、無線通信システム内の送信機において適用されるメッセージセグメンテーションに関する方法４００を示す。送信機はステップ４０２において伝送のためのメッセージを受信する。メッセージは、目標受信機に対する伝送のための制御メッセージあるいは他の短期間メッセージであるかも知れない。決定ダイアモンド４０４においてもしもセグメンテーションがアクティブである場合は、処理はメッセージをＫ個のセグメントにセグメントするためにステップ４１２に続く。送信機は各セグメントに付加するために、適切なセグメントパラメータ（ＳＰ：Segment Parameter）を決定し、そしてステップ４１４においてＳＰを発生する。ステップ４１４において形成された構造は、ステップ４１６においてＸ個のフラグメントを形成するために分割される。送信機は各フラグメントに適用するために適切なＳＩを決定する。ＳＩはそこでステップ４１８において各フラグメントに付加される。ＳＩを含む各フラグメントは、ステップ４２０において処理のためにＭＡＣレイヤに通される。処理はそこで次のメッセージを処理するためにステップ４０２に復帰する。
【００４４】
決定ダイアモンド４０４に戻って、もしもメッセージセグメンテーションがインアクティブである場合は、処理はメッセージをＸ個の部分に分割するためにステップ４０６に続く。ＳＩはフラグメントを形成するためにステップ４０８において各メッセージ部分に付加される。フラグメントはそこでステップ４１０においてＭＡＣレイヤに通される。処理は次のメッセージを処理するためにステップ４０２に復帰する。
【００４５】
受信機においては、ＳＩビットは送信されたメッセージの処理を決定するために受信されたフラグメントから抽出される。図７Ａおよび７Ｂは、受信機における送信されセグメントされたメッセージを処理することに関する方法４２０を示す。受信機はステップ４２２において送信されたフレームを受信する。受信機はセグメンテーションがアクティブか否かを、フレーム内に含まれたＳＩビットを評価することによって決定する。もしもセグメンテーションがアクティブである場合は、フレーム内に含まれるフラグメントを処理するために、処理はステップ４４２に続く。フラグメントの処理は図７Ｂにさらに詳細に示される。処理はそこで、フレームがセグメントの開始部であるか否かを、決定ダイアモンド４４４においてＳＩビットから決定する。もしもフレームがセグメントの開始部である場合は、受信機はステップ４４６において、フラグメントの情報部分をメモリ保存バッファ内に保存する。処理はそこで、次のフレームを受信するためにステップ４２２に復帰する。
【００４６】
決定ダイアモンド４４４に戻って、もしも受信されたフレームがセグメントの開始部でない場合は、受信機は決定ダイアモンド４４８において、ＳＩビットに基づいてフレームがセグメントの終端であるか否かを決定する。もしも受信されたフレームがセグメントの終端でない場合は、受信機はフラグメントからの情報をバッファの中に保存し、そして処理はステップ４２２に復帰する。もしもフレームがセグメントの終端である場合は、受信機はステップ４５０においてセグメントを再構成し、そしてセグメントを順序通りに配置する。もしも決定ダイアモンド４５２においてこのセグメントがメッセージを完了する場合は、受信機は決定ダイアモンド４５４において、紛失したセグメントに対するチェックを行う。もしも紛失したセグメントがない場合は、処理はメッセージを再構成するためにステップ４３２に続く。もしも決定ダイアモンド４５４において紛失したセグメントが決定される場合は、受信機は、ステップ４５４は誤りと思われる》において非受信通知(Negative Acknowledge)ＮＡＣＫメッセージを送出し、そして処理はステップ４２２に復帰する。もしもセグメントが決定ダイアモンド４５２においてメッセージの終端でない場合は、処理はステップ４２２に復帰する。
【００４７】
もしもセグメンテーションが決定ダイアモンド４２４においてアクティブでない場合は、処理はフラグメントを処理するためにステップ４２６に続く。フラグメントに関する処理は、さらに図７Ｂに詳細に示される。受信機はそこで、フラグメント内に含まれた情報をステップ４２８においてメモリ保存バッファの中に保存する。受信機は、フレームがメッセージの終端を示しているか否かを決定ダイアモンド４３０において決定する。もしも受信機がメッセージの終端を検出していない場合は、処理は次のフレームを処理するためにステップ４２２に復帰する。もしも受信機がメッセージの終端を検出している場合は、メッセージはステップ４３２において再構成される。受信機はそこで、決定ダイアモンド４３４においてメッセージ内の誤りに対してチェックを行う。誤りが検出された場合は、受信機はステップ４３６においてメッセージを捨て、そして処理はステップ４２２に復帰する。もしもメッセージ内に誤りが検出されない場合は、受信機はステップ４３８において、対応する応用あるいはサービスのためにメッセージを配送する。受信機はステップ４４０においてＡＣＫメッセージを送出し、そして処理はステップ４３３に復帰する。
【００４８】
フレームに含まれる場合のフラグメントに関する処理の部分は、さらに図７Ｂに詳細に述べられる。方法４６０は、メッセージセグメンテーションをサポートしている無線通信システムにおけるフラグメントの処理を示している。もしもフラグメントがセグメントの開始部である場合は、受信機はステップ４７０において、保存バッファが空いているか否かを決定する。もしもバッファが空いていない場合は、方法４６０はバッファを流しそしてステップ４７４において、情報を受信されたフレームからバッファの中に保存する。もしもバッファが空いている場合は、処理はステップ４７４においてバッファの中に情報を保存する。もしもフラグメントがセグメントの開始部でない場合は、受信機は決定ダイアモンド４６４においてバッファの状況をチェックする。もしもバッファが空いている場合は、受信機はステップ４６８において受信されたフレームを捨てる。たとえば、もしもセグメントフラグメントの開始部が失われている場合は、受信機はセグメントの残りを処理しないであろう。もしもバッファが空いていない場合は、フレームからの情報はステップ４６６においてバッファ内に保存される。
【００４９】
図８に示される、メッセージ伝送に関する一つの実施例においては、メッセージ２００は図６における方法４００と矛盾なくセグメントされる。メッセージセグメンテーションは図８に示されたように、メッセージ２００の処理においてアクティブである。メッセージ２００はセグメント３０２にセグメントされる。セグメント３０２の各々はメッセージ２００の部分を含む。セグメント３０２の各々は連続した識別子を有している。各セグメント３５０、３５２、３５４、…、３５６に対して、セグメントパラメータＳＰが加えられる。セグメントプラスＳＰの組み合わせは、さらにフラグメントを形成するために分割される。フラグメントはそこで１個のＳＩを含むように修正される。ここで本実施例においては、ＳＩは３ビットを含み、そして図５Ｂおよび５Ｃに定義されたような意味を有する。各フラグメントはそこでＳＤＵを発生するために使用される。
【００５０】
メッセージセグメンテーションは、全メッセージに関する完全な再伝送によって必要とされる時刻遅延および資源割り当てを避けながら、メッセージの一部分の再伝送を可能とする。セグメンテーションを伴わないメッセージ伝送の方法、およびセグメンテーションを伴ったメッセージ伝送の方法の比較は、図９Ａおよび９Ｂに与えられる。
【００５１】
図９Ａは、セグメンテーションを伴わないメッセージ伝送を示し、ここでメッセージ再伝送は要求されそして完了している。Ｔｘとして示される送信機は、時刻ｔ１からメッセージを送出する。Ｒｘとして示された受信機は、時刻ｔ２においてメッセージの受信を開始し、そしてメッセージは時刻ｔ３で完了する。送信機はそこで受信機からのＡＣＫメッセージを待つ。受信機は受信されたメッセージを処理することができず、そしてその結果ＡＣＫは送出されない。時刻ｔ４において送信機はメッセージを再送信する。受信機は時刻ｔ５において再送信されたメッセージを受信する。全メッセージは時刻ｔ６において受信され、そして時刻ｔ６においてＡＣＫメッセージを送出する。送信機は、ＡＣＫメッセージを時刻ｔ８からｔ９において受信する。時刻ｔ９においてメッセージ伝送および再伝送は完了する。
【００５２】
図９Ａと比較して、図９Ｂはセグメンテーションを伴ったメッセージ伝送を示し、ここではセグメント再伝送が要求されそして完了される。送信機は時刻ｔ１からメッセージを送信し、そして受信機は時刻ｔ２からｔ３にメッセージを受信する。時刻ｔ３からｔ４にＮＡＫメッセージが送出され、ここでＮＡＫは送信されたメッセージに関する紛失したセグメントを識別する。送信機は時刻ｔ１１においてＮＡＫを受信し、そしてＳＧＭとして示されたセグメントを時刻ｔ１２において再送信する。時刻ｔ１４において受信機は再送信されたセグメントを受信し、そして時刻ｔ１５においてＡＣＫを送出する。送信機はＡＣＫを時刻ｔ１７からｔ１８に受信する。セグメントあるいはメッセージの部分の再伝送は全メッセージ伝送の待ち時間を減少し、そして他の伝送のために送信機資源を解放する。示されたように、セグメントされたメッセージ伝送は全処理時間の減少を与える。
【００５３】
セグメントされたメッセージ伝送をサポートする送信機５００が図１０に示される。制御処理装置５０２は、通信母線に結合される。制御処理装置５０２は、メッセージ発生器５０４の動作を制御する。メッセージ発生器５０４は、セグメンテーションユニット５０６への伝送のために、制御および／あるいはシグナリングメッセージ、あるいは他の短期間メッセージを与える。セグメンテーションがアクティブな場合、セグメンテーションユニットはメッセージをセグメントし、そして各セグメントにセグメントパラメータを加える。セグメンテーションユニット５０６はさらに、ＳＰおよびセグメントの組み合わせの各々を分割しそしてフラグメントの中にセグメントする。セグメンテーションユニット５０６は、各セグメントに適用可能なセグメント識別子ＳＩを決定する。フラグメントはそこで適切なＳＩを含むように修正される。セグメンテーションユニット５０６は、そこで伝送フレームが準備される、フレーミングユニット５０８に複数の修正されたフラグメントを与える。誤りチェック発生器５１０は伝送フレームに誤りチェッキング機構を適用する。送信機５００はさらに変調ユニット５１２および、アンテナ５１６と結合した伝送ユニット５１４を含む。送信機５００はさらに、伝送の準備のために、メッセージあるいはメッセージの部分を保存するためのバッファ５１８を含む。
【００５４】
セグメントされたメッセージ伝送をサポートする受信機６００が図１１に示される。受信機６００は、通信母線に結合された制御処理装置６０２を含む。フレームは、アンテナ６１６において受信されそして受信ユニット６１４によって処理される。復調ユニット６１２は受信されたフレームを復調し、そして誤りチェックユニット６１０は伝送誤りをチェックする。デフレーミングユニット６０８は受信されたフレームからそれぞれのフラグメントを抽出する。セグメント抽出ユニット６０６は各フラグメントに関するセグメントを決定し、そしてＳＩおよびＳＰ情報に基づいてセグメントの順序を決定する。メッセージはメッセージ再構成ユニット６０４においてセグメントを順序通りに配置することによって再構成される。もしも受信されたメッセージが紛失したセグメントを有していない場合は、メッセージはそこで受信機６００内のより高いレイヤ応用に通される。もしも受信されたメッセージが紛失したセグメントを有している場合は、受信機６００は紛失したセグメントの再伝送を要求する。
【００５５】
一つの実施例においては、図７Ａおよび７Ｂにおけるように、受信機方法はさらに、セグメントフラグメントの終端が失われているか否かを決定する。図１２は、セグメントフラグメントあるいはフレームの紛失した終端を識別する方法７００を示す。方法７００は、ステップ７０２においてインデックスを初期化する。もしも受信機において第１の消失が検出される場合は、受信機はタイマーをスタートする。タイマーは、
Ｔｉｍｅｒ  ｉ＝α＊ＡＩＴ                                    （５）
として定義される時刻期間（time period）に対して予定される。ここで、αは一定の値であり、そしてＡＩＴは、フレームの平均到着時刻間隔(average inter-arrival time)である。タイマーｉは、メッセージあるいは消失が受信されるまでカウントを続ける。もしもタイマーｉがフレームあるいは消失が受信される以前に終了する場合は、受信機は、第１の消失をセグメントの終端として考慮する。もしもタイマーｉの終了に先立って第２の消失が受信される場合は、受信機はタイマーｉをリセットし、そしてタイマーｉ＋１をスタートする。タイマーｉ＋１は、時刻期間、
Ｔｉｍｅｒ  ｉ＋１＝β＊（ｔｉｍｅｒ  ｉ）＋γ＊（ｔ２−ｔ１）    （６）
によって定義され、ここでβおよびγは一定値である。各々同様な時刻期間指定を有する任意の数のさらなるタイマーが使用されるかも知れない。代わりの実施例は種々の時刻期間、およびタイマーを実行する方法を利用するかも知れない。効率的に各消失はタイマーを起動する。消失の数はそこで、セグメントの長さを決定するために使用される。いずれかのタイマーがフレームあるいは消失を受信することなく終了する場合は、受信機はセグメントの終端を最後に受信された消失として識別する。
【００５６】
図１２の方法７００について続けて、もしも決定ダイアモンド７０４においてフレームが受信される場合は、フレームからの情報はステップ７１８においてメモリ保存バッファの中に保存される。受信機は、ステップ７２０においてＡＩＴとして参照されるセグメントの平均到着時刻間隔を更新する。ステップ７２２において、受信機はタイマーｉをリセットする。決定ダイアモンド７２４において、もしもフレームがセグメントの終端であった場合は、処理は誤りをチェックするためにステップ７２６に続く。もしもセグメント誤りが見出されない場合は、セグメントは、ステップ７３０においてメッセージの部分として処理される。もしも誤りが見出される場合は、受信機はステップ７２８において再伝送を要求する。決定ダイアモンド７２４において、もしもフレームがセグメントの終端でない場合は、インデックス値ｉは、ステップ７１６において増加され、そして処理は次のフレームを待つために決定ダイアモンド７０４に続く。もしも決定ダイアモンド７０４においてフレームが受信されない場合は、受信機はステップ７０６において消失をチェックする。消失は、伝送誤りに起因する等で受信機が処理不可能な、受信されたメッセージである。もしも消失が受信される場合は、タイマーｉはリセットされ、そして第２のタイマーｉ＋１がスタートする。処理はそこで、インデックスを増加させるためにステップ７１６に続く。もしも決定ダイアモンド７０６において消失が見出されない場合は、受信機は決定ダイアモンド７１２において誤りをチェックする。もしもタイマーｉが、決定ダイアモンド７１２において終了していない場合は、処理は次のフレームを待つために決定ダイアモンド７０４に復帰する。もしもタイマーが終了している場合は、セグメントの配列は累積された消失を反映する。
【００５７】
図１３Ａおよび１３Ｂは受信機における例を与える。図１３Ａにおいて第１のフレームは時刻ｔ１において、そして第２のフレームは時刻ｔ２において受信される。第１および第２のフレームは、受信機によって処理されそして誤りを含んでいない。第３のフレームが予想される場合、時刻ｔ３において消失が受信される。消失の発生は第１のタイマーのスタートをトリガーする。タイマーの終了に対する時間は、フレーム間の平均間隔によって定義される。タイマーの終了に先立って時刻ｔ４において第４のフレームが受信される。タイマーは時刻ｔ４においてリセットされる。
【００５８】
図１３Ｂの例においては、最初の２個のフレームは受信されそして次の２個のフレームは受信されない。時刻ｔ３において消失が受信され、そして第１のタイマーは応じてスタートされる。時刻ｔ４において、第１のタイマーの終了に先立って第２の消失が受信される。第１のタイマーはリセットされ、そして第２のタイマーは時刻ｔ４においてスタートされる。ここで、第２のタイマーの終了に対するタイマー期間は第１のタイマー値の関数である。さらに、何れかのタイマーが終了するときに、受信機は最後に受信した消失をセグメントの終端として識別することが可能である。消失の数の計算は、受信機がセグメント当たりのフレームの数を計算することを可能とする。
【００５９】
一つの実施例によれば、複数のタイマーをセグメントの終端あるいはメッセージの終端を識別するために使用する方法（図１２に示されるように）は非同期トランスポート方法（ＡＴＭ：Asynchronous Transport Method）に適用することが可能であり、ここでＡＴＭプロトコルはメッセージの開始部およびメッセージの終端を定義する。以上に詳細に記述された、式（５）および（６）で与えられるタイマーは、メッセージの終端および任意のこの間に生じる紛失したセグメントおよび／あるいはフラグメントを識別し、その結果伝送におけるメッセージの終端の喪失を防止している。
【００６０】
代わりの実施例によれば、複数のタイマーをセグメントの終端あるいはメッセージの終端を識別するために使用する方法（図１２に示されるような）は、トランスポート通信プロトコル（ＴＣＰ：Transport Communication Protocol）に適用することが可能であり、ここで、ＴＣＰプロトコルはＦＩＮフィールドとしてメッセージの終端を定義する。以上に詳細に記述された、式（５）および（６）で与えられるタイマーは、メッセージの終端および任意のこの間に生じる紛失したセグメントおよび／あるいはフラグメントを識別し、その結果伝送におけるメッセージの終端の喪失を防止している。代わりの実施例は伝送の紛失した部分を決定するためのタイミング機構の実現に適用することが可能であり、ここで複数のタイミング機構が実現されるかも知れない。
【００６１】
上に開示されたように、セグメントされたメッセージ伝送のための方法が与えられる。各メッセージは最初にセグメントされ、そしてそこでセグメントはフラグメント化される。セグメントパラメータは各セグメントに適用され、そしてセグメント識別子は各フラグメントに適用される。フラグメントは伝送のためにフレーム内に準備するために、より低いレベルに与えられる。典型的な実施例は、制御メッセージ等の短期間メッセージの伝送に対して適用されるかも知れない。
【００６２】
図１４に示された代わりの実施例においては、タイマーはフレームが受信される各時刻に起動される。換言すれば、トリガー事象はフレームの受信である。図１４のタイミング線図に示されたように、第１のフレームＦＲＡＭＥ（１）は時刻ｔ１において受信される。ＦＲＡＭＥ（１）の受信に応じて、第１のタイマーがスタートされあるいはリセットされる。ＴＩＭＥＲ（１）、ここで、括弧内のインデックスは、与えられたセグメント内のフレームの連続した番号に対応する。一つの実施例によれば、セグメント内の第１のフレームＦＲＡＭＥ（１）は、セグメント表示の開始部を含むことに注意すべきである。ＴＩＭＥＲ（１）は第１の終了期間（expiration period）を有し、そしてそれはあらかじめ設定された値であるかも知れず、あるいはＦＲＡＭＥ（１）の時間長の関数であるかも知れない。時刻ｔ２において第２のフレームＦＲＡＭＥ（２）が受信されそしてその結果ＴＩＭＥＲ（１）は停止する。もしもＦＲＡＭＥ（２）が第１の終了期間内に受信されていなければ、ＦＲＡＭＥ（２）は失われたフレームと見なされるであろう。与えられたセグメントの受信のために使用された各タイマーの終了期間は、遅く到着するフレームの時刻を許容するように、しかし失われているこれらのフレームを識別するように設計されている。
【００６３】
ＦＲＡＭＥ（２）の受信に応じて第２のタイマーＴＩＭＥＲ（２）が起動される。ＴＩＭＥＲ（２）は第２の終了期間を有する。第２の終了期間は、そこではすべてのタイマーが割り当てられた値を使用する等の、あらかじめ設定された値であるかも知れず、あるいは前のタイマーの終了期間の関数であるかも知れない。一つの実施例においては、セグメント内の各連続したタイマーは少なくとも１個の前のタイマーの関数として動的に計算される終了期間を有する。このようにして、平均値あるいは計画された値が連続した次のフレームの長さを予測するために使用されるかも知れず、そしてまた、フレーム間で経験された何れかの遅延時間を考慮するかも知れない。この場合、時刻ｔ３において第３のフレームが予期されるにもかかわらず、第２の終了期間内にはフレームは受信されない。システムは、第２のタイマーの終了をＦＲＡＭＥ（３）が失われたことの表示として処理する。
【００６４】
伝送につき続けて、第４のフレームＦＲＡＭＥ（４）は時刻ｔ５において受信され、そして応じて第４のタイマーＴＩＭＥＲ（４）がスタートする。ＴＩＭＥＲ（４）は、ＴＩＭＥＲ（２）に関して上に述べられたように計算された終了期間を有する。この場合、第５のフレームＦＲＡＭＥ（５）が時刻ｔ６以前に予期されるが、しかし到着に失敗する。フレームは到着するかも知れないが、しかし、ここで、何れかの制御あるいは状況情報が誤っており、そしてその結果受信機が受信されたビットを復号することができない等で解読できないとして受信されるかも知れないことに注意すべきである。時刻ｔ６においてＴＩＭＥＲ（４）は終了し、そしてその結果ＦＲＡＭＥ（５）は失われたフレームと考慮される（読者は、受信機は、４までに、“終端”表示を運ぶフレームをまだ受信していないことから、“ＦＲＡＭＥ（５）”は存在すべきであることを知っているという説明を加えることが可能である）。
【００６５】
図１５は、セグメント内の各フレームの受信に際してトリガーされるそれぞれのタイマーを使用する一つの実施例を示し、ここで、ＦＲＡＭＥ（５）の受信はタイマーを起動しない。この場合、ＦＲＡＭＥ（５）はセグメントの終端の表示を含む。タイマー、ＴＩＭＥＲ（１）、ＴＩＭＥＲ（２）、ＴＩＭＥＲ（３）、ＴＩＭＥＲ（４）は、それぞれＦＲＡＭＥ（１）、ＦＲＡＭＥ（２）、ＦＲＡＭＥ（３）、ＦＲＡＭＥ（４）の受信に際してトリガーされる。ＦＲＡＭＥ（５）はセグメント内の最終フレームであるので、タイマーは使用されない。
【００６６】
図１６は、一つの実施例による、個々のフレームタイマーを実現することに関する方法８００を示す。ステップ８０２において、送信された情報のセグメント内の連続したフレーム番号に対応するインデックスｉが初期化される。決定ダイアモンド８０４はＦＲＡＭＥ（ｉ）が受信されているか否かを決定する。フレームが受信されていない場合は、処理は、ＦＲＡＭＥ（ｉ）セグメントフレームの開始部、すなわちｉ＝１であるか否かを決定するために決定ダイアモンド８１４に続く。セグメントフレームの開始部に対して、処理は決定ダイアモンド８１６に続き、そうでなければ、処理はセグメント内の第１のフレームを待つために、決定ダイアモンド８０４に復帰する。決定ダイアモンド８１６は、ＦＲＡＭＥ（ｉ−１）に対するＴＩＭＥＲ（ｉ−１）が終了しているか否かを決定する。ＴＩＭＥＲ（ｉ−１）は、前のフレームの受信のときにスタートされ、そして終了期間を有している。もしもＴＩＭＥＲ（ｉ−１）が終了している場合は、ＦＲＡＭＥ（ｉ）は失われたと考慮される。セグメント番号はステップ８１８において失われたフレームを含むように調整され、そしてインデックスｉは失われたフレームを含むように調整される。終了期間は、複数の失われたフレームを識別するように設計されることが可能であることは注意すべきである。処理はそこで次のフレームを待つために決定ダイアモンド８０４に復帰する。
【００６７】
図１６において続けて、もしもＦＲＡＭＥ（ｉ）が決定ダイアモンド８０４において受信される場合は、処理はフレーム内に含まれる情報を保存するためにステップ８０６に続く。決定ダイアモンド８０８において、もしもＦＲＡＭＥ（ｉ）内にセグメント識別子の終端が含まれる場合は、処理は、インデックスｉを初期化するためにステップ８０２に復帰する。もしもＦＲＡＭＥ（ｉ）がセグメントフレームの終端でない場合は、処理はＴＩＭＥＲ（ｉ）をリセットするためにステップ８１０に続く。タイマーは、次の予期されるフレームを待つためにリセットされる。インデックスｉは、ステップ８１２において増加されそして処理は、次のフレームを待つために決定ダイアモンド８０４に復帰する。
【００６８】
一つの実施例に従ったタイマーに対する終了期間の動的な計算は図１７の中に示される。インデックスｉはステップ９０２において初期化される。ＦＲＡＭＥ（ｉ）はステップ９０４において受信される。ＦＲＡＭＥ（ｉ）の長さは、ステップ９０６において決定される。もしもＦＲＡＭＥ（ｉ）が決定ダイアモンド９０８において決定されたようにセグメントフレームの開始部である場合は、ＴＩＭＥＲ（ｉ）は、ステップ９１０においてＦＲＡＭＥ（ｉ）の長さに従ってセットされる。そうでなければ、ＴＩＭＥＲ（ｉ）はステップ９１２において、前に受信されたフレームの長さの関数としてセットされる。インデックスｉはステップ９１４において増加されそして処理はステップ９０４に復帰する。終了期間に関する動的な決定は前のフレーム長さの平均値(average)あるいは中間値(mean)を計算するかも知れない。同様に、決定は現在のセグメント期間中のシステムの前の特性に基づいて、あるいはあらかじめ設定された時間内の与えられたフレームを受信する確率に関係する履歴情報に基づいて、計画されたあるいは予期された時間であるかも知れない。計算は前のフレームを受信する際の遅延を考慮することが可能である。
【００６９】
このように、無線システムにおいてセグメントされたメッセージを送信するための種々の方法が以上に示されてきている。各方法は、与えられたシステムの設計および資源要求条件に従って応用を見出している。ＣＤＭＡ方式スペクトル拡散通信システムを参照して種々の実施例が記述されてきているが、コンセプトは、他の方式の通信システムと同様に、代わりのスペクトル拡散方式システムに適用可能である。以上に与えられた方法およびアルゴリズムはハードウエア、ソフトウエア、ファームウエア、あるいはそれらの組み合わせ内で実現されることが可能である。たとえば、非時刻ゲーテッドパイロット(non-time gated pilot)に対して、ＭＭＳＥアプローチを用いてコンビナー荷重(combiner weights)を解くための方程式は、計算を実行するためにソフトウエア内で、あるいはディジタル信号処理装置ＤＳＰを用いて実行されることが可能である。同様に、適応アルゴリズムは、計算機により読み出し可能な媒体上に保存された計算機により読み出し可能な命令の形で、ソフトウエアの中で実行されることが可能である。ＤＳＰコア等の、中央処理ユニットは、命令を実行し、そして応じて信号推定を与えるために動作する。他の実施例は、そこで実行可能な特定用途向け集積回路ＡＳＩＣ等のハードウエアを実現するかも知れない。
【００７０】
当業界において熟練した人々は、情報および信号が、任意の種々の異なった技術および手法を用いて示されるかも知れないことを理解するであろう。たとえば、上の記述を通じて参照されるかも知れないデータ、命令、指令、情報、信号、ビット、シンボル、およびチップは、電圧、電流、電磁波、磁場および粒子、光学的場および粒子、あるいはそれらの任意の組み合わせによって示されるかも知れない。
【００７１】
熟練した人々はさらに、ここに開示された実施例と関連して記述された、種々の実例となる論理ブロック、モジュール、回路、およびアルゴリズムステップが、電子的ハードウエア、計算機ソフトウエア、あるいは両者の組み合わせとして実現されることが可能であることを正しく評価するであろう。ハードウエアおよびソフトウエアのこの互換性を明確に示すために、種々の例となる部品、ブロック、モジュール、回路、およびステップが、それらの機能の形で一般的に、上に述べられてきている。これらの機能がハードウエアあるいはソフトウエアとして実現されるか否かは、システム全体に課せられた、特定の応用および設計制約によって異なる。熟練した技術者は、記述された機能を各それぞれの応用に対して異なった方法で実現することが可能であるが、しかしこのような実現の決定は、本発明の範囲から逸脱する原因として解釈されるべきではない。
【００７２】
ここに開示された実施例と関連して述べられた、種々の例となる論理ブロック、モジュール、および回路は、汎用処理装置、ディジタル信号処理装置（ＤＳＰ）、特定用途向け集積回路（ＡＳＩＣ）、フィールドプログラマブルゲートアレイ（ＦＰＧＡ）あるいは他のプログラマブル論理デバイス、個別ゲートあるいはトランジスタ論理、個別ハードウエア部品、あるいは、ここに述べられた機能を実行するために設計された任意のこれらの組み合わせを用いて実現されあるいは実行されることが可能である。汎用処理装置はマイクロ処理装置であるかも知れず、しかし代わりに処理装置は、任意の従来の処理装置、制御器、マイクロ制御器、あるいはステートマシンであるかも知れない。処理装置もまた、たとえば、ＤＳＰおよびマイクロ処理装置の組み合わせ、複数のマイクロ処理装置、ＤＳＰコアと結合した１個あるいはそれ以上のマイクロ処理装置、あるいは任意の他のこのような配列等の、計算デバイスの組み合わせとして実現されるかも知れない。
【００７３】
ここに開示された実施例と関連して述べられた方法のステップあるいはアルゴリズムは、直接にハードウエア内で、処理装置によって実行されるソフトウエアモジュール内で、あるいはこの二つの組み合わせ内で実現されるかも知れない。ソフトウエアモジュールはＲＡＭメモリ、フラッシュメモリ、ＲＯＭメモリ、ＥＰＲＯＭメモリ、ＥＥＰＲＯＭメモリ、抵抗器、ハードディスク、取り外し可能なディスク、ＣＤ‐ＲＯＭ、あるいは当業界において知られる記憶媒体の任意の他の形態の中に置かれるかも知れない。典型的な記憶媒体は、処理装置がその記憶媒体から情報を読み、（その記憶媒体に）情報を書き込むことが可能なように処理装置に結合される。あるいは、記憶媒体は処理装置の一体化された部分であるかも知れない。処理装置および記憶媒体はＡＳＩＣの中に置かれるかも知れない。ＡＳＩＣは、ユーザ端末の中に置かれるかも知れない。あるいは処理装置および記憶媒体は、ユーザ端末の中に個別コンポーネントとして置かれるかも知れない。
【００７４】
開示された実施例に関する以上の記述は、当業界において熟練したいかなる人にも、本発明を作成しあるいは使用することを可能とするために与えられる。これらの実施例に関する種々の変更が、当業界において熟練した人々にとっては容易に明白であろうし、そしてここに定義された一般的原理は、本発明の精神あるいは範囲から逸脱することなしに他の実施例に適用することが可能である。従って、本発明は、ここに示された実施例に限定されることを意図したものではなく、しかし、ここに開示された原理および新規な特徴と一致したもっとも広い範囲に一致されるべきものである。
【図面の簡単な説明】
【００７５】
【図１】図１は、無線通信システムである。
【図２】図２は、無線通信システムにおいてプロトコルを実行するための構造的レイヤリングである。
【図３Ａ】図３Ａは、無線通信システムにおいて適用可能なメッセージ伝送プロトコルである。
【図３Ｂ】図３Ｂは、図３Ａに示されたような伝送プロトコルに従ったフレーム配列である。
【図４Ａ】図４Ａは、無線通信システムにおいて適用可能なセグメンテーションを実行する、メッセージ伝送プロトコルである。
【図４Ｂ】図４Ｂは、図４Ａに示されたような伝送プロトコルに従ったフレーム配列である。
【図５Ａ】図５Ａは、図４Ａに示されたようなメッセージ伝送プロトコルの一例である。
【図５Ｂ】図５Ｂは、図５Ａに示されたようなメッセージ伝送プロトコルに使用されるセグメンテーションインジケータビット値を定義している符号説明である。
【図５Ｃ】図５Ｃは、図５Ａに示されたようなメッセージ伝送プロトコルに使用される、セグメンテーションインジケータ組み合わせを定義している符号説明である。
【図５Ｄ】図５Ｄは、図５Ａに示されたようなメッセージ伝送プロトコルに使用される、セグメンテーションインジケータビット値を定義している符号説明である。
【図５Ｅ】図５Ｅは、図５Ａに示されたようなメッセージ伝送プロトコルに使用される、セグメンテーションインジケータ組み合わせを定義している符号説明である。
【図６】図６は、伝送のためのメッセージセグメンテーションの方法に関するフロー線図である。
【図７Ａ】図７Ａおよび７Ｂは、セグメントされたメッセージを受信する方法に関するフロー線図である。
【図７Ｂ】図７Ａおよび７Ｂは、セグメントされたメッセージを受信する方法に関するフロー線図である。
【図８】図８は、伝送のためのメッセージセグメンテーションの一例である。
【図９Ａ】図９Ａは、メッセージの再伝送を伴ったメッセージ伝送に関するタイミング線図である。
【図９Ｂ】図９Ｂは、少なくとも１個のセグメントの再伝送を伴った、メッセージセグメンテーションおよび伝送に関するタイミング線図である。
【図１０】図１０は、メッセージセグメンテーションおよび伝送プロトコルをサポートする送信機のブロック線図である。
【図１１】図１１は、メッセージセグメンテーションおよび伝送プロトコルをサポートする受信機のブロック線図である。
【図１２】図１２は、フレームに対するセグメントフラグメントの紛失した終端を識別するための処理に関するフロー線図である。
【図１３Ａ】図１３Ａおよび図１３Ｂは、フレームに対するセグメントフラグメントの紛失した終端を識別する処理を説明している例のタイミング線図である。
【図１３Ｂ】図１３Ａおよび図１３Ｂは、フレームに対するセグメントフラグメントの紛失した終端を識別する処理を説明している例のタイミング線図である。
【図１４】図１４は、解析フレーム内のタイマーの使用を説明しているタイミング線図である。
【図１５】図１５は、解析フレーム内のタイマーの使用を説明しているタイミング線図である。
【図１６】図１６は、個々のフレームタイマーを実現する方法に関するフロー線図である。
【図１７】図１７は、個々のフレームタイマーに対する終了時期の動的計算方法に関するフロー線図である。
【符号の説明】
【００７６】
１００…スペクトル拡散通信システム、  １０２…システム制御器、  １０４…基地局、  １０６…遠隔端末、  １１０…アーキテクチャ、  １１２…物理レイヤ、  １１４…ＭＡＣレイヤ、  １１６…ＬＡＣレイヤ、  １２０…ＨＤＬＣレイヤ、  １２２…ＰＰＰレイヤ、  １２４…ＩＰレイヤ、  ２００…メッセージ、  ２０２…ヘッダ、  ２０４…フィールド、  ２０８…情報、  ２１０…テール、  ２２０…フラグメント、  ２２２…ＳＯＭインジケータ、  ２２４…情報部分、  ３０２…セグメント、  ３０４…フラグメント、  ３０６…フラグメント、  ３０８…セグメント識別子  ３１０…情報、  ３２０…フラグメント、  ３３０…フラグメント、  ３３２…ＳＩ部分、  ３３４…情報部分、  ３４０…フラグメント、  ３５０…フラグメント、  ３５０．３５２…セグメント、  ３５２…ＳＩ部分、  ３５４…情報部分、  ３６０…フレーム、  ５００…送信機、  ５０２…制御処理装置、  ５０４…メッセージ発生器、  ５０６…セグメンテーションユニット、  ５０８…フレーミングユニット、  ５１０…誤りチェック発生器、  ５１２…変調ユニット、  ５１４…伝送ユニット、  ５１６…アンテナ、  ５１８…バッファ、  ６００…受信機、  ６０２…制御処理装置、  ６０４…メッセージ再構成ユニット、  ６０６…セグメント抽出ユニット、  ６０８…デフレーミングユニット、  ６１０…誤りチェックユニット、  ６１２…復調ユニット、  ６１４…受信ユニット、  ６１６…アンテナ、
【図１】
2005526417.tif 000003
【図２】
2005526417.tif 000004
【図３Ａ】
2005526417.tif 000005
【図３Ｂ】
2005526417.tif 000006
【図４Ａ】
2005526417.tif 000007
【図４Ｂ】
2005526417.tif 000008
【図５Ａ】
2005526417.tif 000009
【図５Ｂ】
2005526417.tif 000010
【図５Ｃ】
2005526417.tif 000011
【図５Ｄ】
2005526417.tif 000012
【図５Ｅ】
2005526417.tif 000013
【図６】
2005526417.tif 000014
【図７Ａ】
2005526417.tif 000015
【図７Ｂ】
2005526417.tif 000016
【図８】
2005526417.tif 000017
【図９Ａ】
2005526417.tif 000018
【図９Ｂ】
2005526417.tif 000019
【図１０】
2005526417.tif 000020
【図１１】
2005526417.tif 000021
【図１２】
2005526417.tif 000022
【図１３Ａ】
2005526417.tif 000023
【図１３Ｂ】
2005526417.tif 000024
【図１４】
2005526417.tif 000025
【図１５】
2005526417.tif 000026
【図１６】
2005526417.tif 000027
【図１７】
2005526417.tif 000028
【国際調査報告】
2005526417.tif 000029
2005526417.tif 000030
2005526417.tif 000031
2005526417.tif 000032
2005526417.tif 000033